(57)【要約】【課題】マルチキャスト送信の制御（再送制御や送信レート制御）を行うか否かの判定の精度を改善する。【解決手段】本発明による無線通信システムは、通信データをマルチキャスト送信する基地局装置と、マルチキャスト送信された前記通信データを受信する複数の無線端末装置と、を含む無線通信システムであって、前記複数の無線端末装置の各無線端末装置（３０）は、前記通信データを受信した際に応答信号を送信するための１又は複数のサブキャリアの各位相を設定し、前記応答信号の送信の度に前記１または複数のサブキャリアの各位相を変更する位相設定部（３７２）を備える。【選択図】図３
2014197724.tif 000002
【特許請求の範囲】
【請求項１】
通信データをマルチキャスト送信する基地局装置と、マルチキャスト送信された前記通信データを受信する複数の無線端末装置と、を含む無線通信システムであって、
前記複数の無線端末装置の各無線端末装置は、
前記通信データを受信した際に応答信号を送信するための１又は複数のサブキャリアの各位相を設定し、前記応答信号の送信の度に前記１または複数のサブキャリアの各位相を変更する位相設定部を備えたことを特徴とする無線通信システム。
【請求項２】
前記位相設定部は、
乱数を発生させ、前記乱数に応じて前記１又は複数のサブキャリアの各位相を設定することを特徴とする請求項１に記載の無線通信システム。
【請求項３】
前記位相設定部は、
Ｋを２以上の整数としたときに、前記１又は複数のサブキャリアの各位相を、２π／ｍ（ｍ＝１，…，Ｋ）によって与えられるＫ個の位相の何れかに設定することを特徴とする請求項１に記載の無線通信システム。
【請求項４】
請求項１から３の何れか１項に記載の無線通信システムにおいて、
前記各無線端末装置は、更に、
前記通信データを受信した場合に、第１のサブキャリア群の中から選択される１又は複数のサブキャリアにより、前記応答信号として受信状態報知信号を送信する受信状態報知信号送信部と、
前記通信データが正常に受信されているか否かを判定する判定部と、
前記判定部により前記通信データが正常に受信されていないと判定された場合に、前記第１のサブキャリア群とは重複しない第２のサブキャリア群の中から選択される１又は複数のサブキャリアにより、前記応答信号として再送要求信号を送信する再送要求信号送信部と、
を含み、
前記基地局装置は、
前記第１のサブキャリア群を受信し、該第１のサブキャリア群を構成する各サブキャリアの受信レベルの合計値である第１合計値を取得する第１合計値取得部と、
前記第２のサブキャリア群を受信し、該第２のサブキャリア群を構成する各サブキャリアの受信レベルの合計値である第２合計値を取得する第２合計値取得部と、
前記第１合計値に対する前記第２合計値の割合に基づき、マルチキャスト送信の制御を行うマルチキャスト送信制御部と、
を含むことを特徴とする無線通信システム。
【請求項５】
基地局装置が通信データをマルチキャスト送信し、複数の無線端末装置がマルチキャスト送信された前記通信データを受信する無線通信方法であって、
前記複数の無線端末装置の各無線端末装置が、前記通信データを受信した際に応答信号を送信するための１又は複数のサブキャリアの各位相を設定し、前記応答信号の送信の度に前記１又は複数のサブキャリアの各位相を変更する位相設定ステップを含むことを特徴とする無線通信方法。
【請求項６】
請求項５に記載の無線通信方法において、更に、
前記各無線端末装置が、前記通信データを受信した場合に、第１のサブキャリア群の中から選択される１又は複数のサブキャリアにより、前記応答信号として受信状態報知信号を送信する受信状態報知信号送信ステップと、
前記各無線端末装置が、前記通信データが正常に受信されているか否かを判定する判定ステップと、
前記各無線端末装置が、前記判定ステップにおいて前記通信データが正常に受信されていないと判定された場合に、前記第１のサブキャリア群とは重複しない第２のサブキャリア群の中から選択される１又は複数のサブキャリアにより、前記応答信号として再送要求信号を送信する再送要求信号送信ステップと、
前記基地局装置が、前記第１のサブキャリア群を受信し、該第１のサブキャリア群を構成する各サブキャリアの受信レベルの合計値である第１合計値を取得する第１合計値取得ステップと、
前記基地局装置が、前記第２のサブキャリア群を受信し、該第２のサブキャリア群を構成する各サブキャリアの受信レベルの合計値である第２合計値を取得する第２合計値取得ステップと、
前記基地局装置が、第１合計値に対する前記第２合計値の割合に基づき、マルチキャスト送信の制御を行うマルチキャスト送信制御ステップと、
を含むことを特徴とする無線通信方法。
【発明の詳細な説明】
【技術分野】
【０００１】
本発明は、無線通信システム及び無線通信方法に関し、更に詳しくは、再送制御や送信レート制御等のマルチキャスト送信制御技術に関する。
【背景技術】
【０００２】
無線通信システムにおいては、基地局装置から無線端末装置に対して１対多の送信が行われることがある。このような１対多の送信は一般にマルチキャスト送信と呼ばれる。これに対し、１対１の送信はユニキャスト送信と呼ばれる。商用の無線通信システムにおけるマルチキャスト送信では、１つの基地局装置がマルチキャスト送信した通信データを受信する無線端末装置の数が１０００以上になることもある。
【０００３】
ところで、無線通信では、電波伝播状況などにより、伝送途中において通信データが誤りを含んでしまうことが多い。そこで、送信時において通信データに巡回冗長符号を含めておくことにより受信側装置で誤りを検出できるようにし、受信側装置は、誤りを検出した場合に再送要求を返信し、送信側装置は、再送要求を受信すると、再送を要求された通信データ（誤りの検出された通信データ）を再送するようにすることが広く行われている。
【０００４】
再送要求処理が行われるという点ではマルチキャスト送信もユニキャスト送信も同様であるが、マルチキャスト送信の場合、多数の無線端末装置が一度に同じ通信データを受信することになり、再送要求も一度に多数送信されることになる。このため、各無線端末装置に無線リソースを排他的に割り当て、その無線リソースを利用して再送要求を送信させるようにすると、無線リソースが足りなくなってしまう場合がある。
【０００５】
このような問題の解決を図った技術として、本願出願人による特許文献１に記載された技術がある。この技術では、通信が到達したことを無線端末装置から基地局装置に通知するための受信状態報知信号の電力と、無線端末装置から基地局装置に対してパケットの再送を要求するための再送要求信号の電力との比により定められた所定の基準再送要求率を指標として、マルチキャスト送信の制御を行っている。
【０００６】
具体的には、複数の無線端末装置から送信される受信状態報知信号のＯＦＤＭシンボルを構成する第１のサブキャリア群の各サブキャリアの受信電力を統計多重加算して第１の合計値を取得し、この第１の合計値に上記の基準再送要求率を乗算したものを閾値として取得する。そして、複数の無線端末装置から送信される再送要求信号のＯＦＤＭシンボルを構成する第２のサブキャリア群の各サブキャリアの受信レベルを統計多重加算して第２の合計値を取得し、この第２の合計値が上記閾値よりも高い場合、マルチキャスト送信の送信レートを下げ、またはパケットを再送するなど、マルチキャスト送信の制御を実施する。
【０００７】
このように特許文献１に記載された技術では、複数の無線端末装置の受信状態報知信号の電力値の第１の合計値と複数の無線端末装置の再送要求信号の電力の第２の合計値との比を指標とすることにより、マルチキャスト送信の制御を必要とする無線端末装置の存在を有意に判定し、各無線端末装置に無線リソースを排他的に割り当てることなく、その台数に応じてマルチキャスト送信の制御を実施することを可能にしている。
また、複数の無線端末装置の受信状態報知信号、もしくは再送要求信号の電力が基地局装置で位相関係を考慮せず単純加算され、この電力を測定する事を特徴としているため、基地局装置での通信方式に応じた方法で無線端末装置からの信号を各々復調する様な、装置の複雑化を回避している。
【先行技術文献】
【特許文献】
【０００８】
【特許文献１】特開２００８−２７７９１３号公報
【発明の概要】
【発明が解決しようとする課題】
【０００９】
上述の特許文献１に記載された技術によれば、無線端末装置の台数が少ない場合、お互いの応答信号が干渉し合う結果、基地局装置において統計多重加算により得られる第１および第２の合計値に含まれる誤差が大きくなる場合がある。
【００１０】
例えば、基地局装置がカバーする地域（セル）内に２台の無線端末装置のみが存在する場合を考える。これら２台の無線端末装置の一方から送信される応答信号のサブキャリアの位相と、他方から送信される応答信号のサブキャリアの位相が相互に逆相の関係にあると、これらの応答信号は相互に相殺し合う。このため、基地局装置において、これらの応答信号を統計多重加算することにより得られる電力の平均値は、見かけ上、ゼロになる。また、２台の無線端末装置のうちの一方から送信される応答信号のサブキャリアの位相と、他方から送信される応答信号のサブキャリアの位相が相互に同相の関係にある場合、基地局装置において、これらの応答信号を統計多重加算することにより得られる電力の平均値は、見かけ上、２倍になる。
【００１１】
このように、各無線端末装置から送信される応答信号の電力値が一定であっても、各無線端末装置から送信される応答信号の位相関係により、基地局装置において統計多重加算により得られる電力値が大きく異なる場合が生じ得る。この場合、基地局装置において、パケットの再送等のマルチキャスト送信の制御を必要とする無線端末装置の存在を精度よく判定することが困難になり、マルチキャスト送信の制御を実施するか否かの判定を精度よく行うことが困難になる。
【００１２】
従って、本発明の課題の一つは、マルチキャスト送信の制御（例えば再送制御や送信レート制御）を行うか否かの判定の精度を改善することができる無線通信システム及び無線通信方法を提供することにある。
【課題を解決するための手段】
【００１３】
上記課題を解決するための本発明にかかる無線通信システムは、通信データをマルチキャスト送信する基地局装置と、マルチキャスト送信された前記通信データを受信する複数の無線端末装置と、を含む無線通信システムであって、前記複数の無線端末装置の各無線端末装置は、前記複数の無線端末装置の各無線端末装置は、前記通信データを受信した際に応答信号を送信するための１又は複数のサブキャリアの各位相を設定し、前記応答信号の送信の度に前記１または複数のサブキャリアの各位相を変更する。前記位相設定部は、例えば、乱数を発生させ、前記乱数に応じて前記１又は複数のサブキャリアの各位相を設定してもよい。または、前記位相設定部は、例えば、Ｋを２以上の整数としたときに、前記１又は複数のサブキャリアの各位相を、２π／ｍ（ｍ＝１，…，Ｋ）によって与えられるＫ個の位相の何れかに設定してもよい。
【００１４】
この構成によれば、各無線端末装置から送信される応答信号の位相が同相または逆相の関係になる確立が低減する。これにより、各無線端末装置から送信された応答信号の統計多重加算値のばらつきが抑制される。従って、基地局装置において、各無線端末装置から受信された応答信号の電力の統計多重加算値から、パケットの再送等のマルチキャスト送信の制御を必要とする無線端末装置の存在を精度よく判定することができ、マルチキャスト送信の制御を実施するか否かの判定を精度よく行うことが可能となる。
【００１５】
前記無線通信システムにおいて、例えば、前記各無線端末装置は、更に、前記通信データを受信した場合に、第１のサブキャリア群の中から選択される１又は複数のサブキャリアにより、前記応答信号として受信状態報知信号を送信する受信状態報知信号送信部と、前記通信データが正常に受信されているか否かを判定する判定部と、前記判定部により前記通信データが正常に受信されていないと判定された場合に、前記第１のサブキャリア群とは重複しない第２のサブキャリア群の中から選択される１又は複数のサブキャリアにより、前記応答信号として再送要求信号を送信する再送要求信号送信部と、を含み、前記基地局装置は、前記第１のサブキャリア群を受信し、該第１のサブキャリア群を構成する各サブキャリアの受信レベルの合計値である第１合計値を取得する第１合計値取得部と、前記第２のサブキャリア群を受信し、該第２のサブキャリア群を構成する各サブキャリアの受信レベルの合計値である第２合計値を取得する第２合計値取得部と、前記第１合計値に対する前記第２合計値の割合に基づき、マルチキャスト送信の制御を行うマルチキャスト送信制御部と、を含んでもよい。
【００１６】
上記課題を解決するための本発明にかかる無線通信方法は、基地局装置が通信データをマルチキャスト送信し、複数の無線端末装置がマルチキャスト送信された前記通信データを受信する無線通信方法であって、前記複数の無線端末装置の各無線端末装置が、前記通信データを受信した際に応答信号を送信するための１又は複数のサブキャリアの各位相を設定し、前記応答信号の送信の度に前記１又は複数のサブキャリアの各位相を変更する位相設定ステップを含む。
【００１７】
前記無線通信方法において、例えば、更に、前記各無線端末装置が、前記通信データを受信した場合に、第１のサブキャリア群の中から選択される１又は複数のサブキャリアにより、前記応答信号として受信状態報知信号を送信する受信状態報知信号送信ステップと、前記各無線端末装置が、前記通信データが正常に受信されているか否かを判定する判定ステップと、前記各無線端末装置が、前記判定ステップにおいて前記通信データが正常に受信されていないと判定された場合に、前記第１のサブキャリア群とは重複しない第２のサブキャリア群の中から選択される１又は複数のサブキャリアにより、前記応答信号として再送要求信号を送信する再送要求信号送信ステップと、前記基地局装置が、前記第１のサブキャリア群を受信し、該第１のサブキャリア群を構成する各サブキャリアの受信レベルの合計値である第１合計値を取得する第１合計値取得ステップと、前記基地局装置が、前記第２のサブキャリア群を受信し、該第２のサブキャリア群を構成する各サブキャリアの受信レベルの合計値である第２合計値を取得する第２合計値取得ステップと、前記基地局装置が、第１合計値に対する前記第２合計値の割合に基づき、マルチキャスト送信の制御を行うマルチキャスト送信制御ステップと、を含んでもよい。
【００１８】
また、上記無線通信システムにおいて、例えば、前記受信状態報知信号送信手段は、第１のサブキャリア群の中から選択される１又は複数のサブキャリアの各電力レベルを第１の所定値とすることにより、受信状態報知信号を送信し、前記再送要求信号送信手段は、第２のサブキャリア群の中から選択される１又は複数のサブキャリアの各電力レベルを第２の所定値とすることにより、再送要求信号を送信し、前記マルチキャスト送信制御手段は、前記第１合計値に対する前記第２合計値の割合と、前記第１の所定値に対する前記第２の所定値の割合と、に基づき、マルチキャスト送信の制御を行ってもよい。
これによれば、マルチキャスト送信制御手段は、第１の所定値と第２の所定値とが異なる場合であっても、第１合計値に対する第２合計値の割合を指標として、適切にマルチキャスト送信の制御を行うことができる。
【００１９】
また、上記無線通信システムにおいて、例えば、前記受信状態報知信号送信手段は、前記第１のサブキャリア群の中から選択される第１の個数のサブキャリアにより、受信状態報知信号を送信し、前記再送要求信号送信手段は、前記第２のサブキャリア群の中から選択される第２の個数のサブキャリアにより、再送要求信号を送信し、前記閾値算出手段は、前記第１合計値と、前記第１の個数に対する前記第２の個数の割合と、に基づき、前記閾値を算出してもよい。
これによれば、閾値算出手段は、第１の個数と第２の個数とが異なる場合であっても、適切に閾値を算出することができる。
【００２０】
また、上記無線通信システムにおいて、例えば、前記受信状態報知信号送信手段は、第１のサブキャリア群の中から選択される１又は複数のサブキャリアの各電力レベルを第１の所定値とすることにより、受信状態報知信号を送信し、前記再送要求信号送信手段は、第２のサブキャリア群の中から選択される１又は複数のサブキャリアの各電力レベルを第２の所定値とすることにより、再送要求信号を送信し、前記閾値算出手段は、前記第１合計値と、前記第１の所定値に対する前記第２の所定値の割合と、に基づき、前記閾値を算出してもよい。
これによれば、閾値算出手段は、第１の所定値と第２の所定値とが異なる場合であっても、適切に閾値を算出することができる。
【発明の効果】
【００２１】
本発明によれば、マルチキャスト送信の制御を行うか否かの判定の精度を改善することができる。
【図面の簡単な説明】
【００２２】
【図１】本発明の実施の形態にかかる無線通信システムのシステム構成を示す図である。
【図２】本発明の実施の形態にかかるマルチキャスト送信の概略の説明図である。
【図３】本発明の実施の形態１に係る無線端末装置の構成の一例を示す概略ブロック図である。
【図４】本発明の実施の形態１に係る無線端末装置が送信する再送要求信号の一例を示す図である。
【図５】本発明の実施の形態１に係る基地局装置が受信した再送要求信号の一例を示す図である。
【図６】本発明の実施の形態１に係る基地局装置の構成の一例を示す概略ブロック図である。
【図７】本発明の実施の形態１に係る無線端末装置の動作を説明するための図である。
【図８】本発明の実施の形態２に係る無線端末装置の動作を説明するための図である。
【図９】本発明の実施の形態３に係る無線端末装置の構成の一例を示す概略ブロック図である。
【図１０】本発明の実施の形態４に係る無線端末装置の構成の一例を示す概略ブロック図である。
【図１１】本発明の実施の形態５に係る無線端末装置の構成の一例を示す概略ブロック図である。
【発明を実施するための形態】
【００２３】
以下、本発明の実施の形態について、図面を参照しながら説明する。
［実施の形態１］
図１は、本実施の形態にかかる無線通信システム１のシステム構成を示す図である。同図に示すように、無線通信システム１は、基地局装置１０と多数の無線端末装置３０とを含んで構成される。基地局装置１０は、通信データをマルチキャスト送信し、各無線端末装置３０は、マルチキャスト送信された通信データを受信する。基地局装置１０がマルチキャスト送信した通信データを受信する無線端末装置３０の数は、実際には１０００以上となることもある。なお、本実施形態では、上記マルチキャスト送信を含む基地局装置１０と無線端末装置３０との間の通信はＯＦＤＭ方式により行われるものとするが、この例に限定されない。
【００２４】
図２は、マルチキャスト送信の概略の説明図である。基地局装置１０は、複数の無線端末装置３０（図２では無線端末装置３０−１乃至５）に対して、同時にパケットを送信する（図２のｔ１〜ｔ２）。各無線端末装置３０は、例えば巡回冗長符号等を用いて受信パケットの誤り検出を行なう。各無線端末装置３０は、誤り検出の有無に関わらず、受信状態報知（ＡＣＫ：ACKnowledge）信号を生成して送信するとともに、受信パケットに誤りが検出された場合には、再送要求（ＮＡＫ：Negative AcKnowledge）信号を生成し、送信する。
【００２５】
なお、ここで送信される受信状態報知信号は、通常のＡＣＫとは異なるものである。すなわち、通常のＡＣＫは「通信がエラーなく到達したこと」を示すものであるが、受信状態報知信号は単に「通信が到達したこと」を示している。以下では、適宜、受信状態報知信号および再送要求信号を応答信号と総称する。
【００２６】
受信状態報知信号及び再送要求信号は、本実施の形態では１個のＯＦＤＭシンボルで構成される。通常、ＯＦＤＭシンボルは、直交するＮ個のサブキャリアに変調信号を重畳してＩＦＦＴ（逆フーリエ変換）処理を行なって生成するが、本実施形態では、Ｎ個のサブキャリアのうちの一部を利用して再送要求信号を生成する。また、Ｎ個のサブキャリアのうちの一部を利用して再送要求信号を生成する。これらの信号の生成手法の詳細は後述する。
【００２７】
基地局装置１０がパケットを同報するタイムスロット（図２のｔ１〜ｔ２）と、そのパケットに対し端末局が受信状態報知信号及び再送要求信号を応答するタイムスロット（図２ではｔ２〜ｔ３）は、事前の手順により定められており、各無線端末装置３０は、指定されたタイムスロット（図２ではｔ２〜ｔ３）を用いて受信状態報知信号及び再送要求信号を基地局装置１０に送信する。
【００２８】
次に、無線端末装置３０の詳細について説明する。
図３は、無線端末装置３０の構成の一例を示す概略ブロック図である。同図に示すように、無線端末装置３０は、アンテナ３１、ＲＦ（Radio Frequency）部３２、ＯＦＤＭシンボル検出器３３、Ｐ／Ｓ（Parallel
/ Serial）変換器３４、復調器３５、符号器３６、制御部３７、第１の個数記憶部３９、第１の所定値記憶部４０、第２の個数記憶部４１、第２の所定値記憶部４２、符号器４２、多重部４３、変調器４４、Ｓ／Ｐ（Serial / Parallel）変換器４５、ＯＦＤＭシンボル生成器４６、ＲＦ部４７を含んで構成される。制御部３７は、その内部に、受信状態報知信号送信部３７０、再送要求信号送信部３７１、位相設定部３７２を含んで構成される。
【００２９】
ＲＦ部３２は、アンテナ３１で受信された通信データの無線周波数信号をダウンコンバートして直交復調を行う。ＯＦＤＭシンボル検出器３３は、ＲＦ部３２の出力に対してＦＦＴ（Fast Fourier Transform）処理を行って通信データのＯＦＤＭシンボルを検出する。Ｐ／Ｓ変換器３４は、ＯＦＤＭシンボルをパラレル／シリアル変換する。復調器３５は、シリアル変換された通信データのＯＦＤＭシンボルを復調する。符号器３６は、巡回冗長符号等を用いて復調信号の誤り検出を行うことにより、通信データが正常に受信されているか否かを判定する判定手段として機能する。
【００３０】
受信状態報知信号送信部３７０（受信状態報知信号送信手段）は、通信データを受信した場合に、第１のサブキャリア群の中から選択される第１の個数（以下、Ｌｏ個とする。）のサブキャリアに係る変調処理を行い、各サブキャリアの電力レベルを第１の所定値（以下、Ｐｏとする。）とすることにより、受信状態報知信号を送信する。また、再送要求信号送信部３７１（再送要求信号送信手段）は、符号器３６により通信データが正常に受信されていないと判定された場合に、上記第１のサブキャリア群とは重複しない第２のサブキャリア群の中から選択される第２の個数（以下、Ｌ個とする。）のサブキャリアに係る変調処理を行い、各サブキャリアの電力レベルを第２の所定値（以下、Ｐとする。）とすることにより、再送要求信号を送信する。
【００３１】
なお、上記Ｌｏ，Ｌ，Ｐｏ，Ｐは、ユーザにより決定され、それぞれ第１の個数記憶部３９，第２の個数記憶部４１，第１の所定値記憶部４０，第２の所定値記憶部４２に記憶されている。受信状態報知信号送信部３７０及び再送要求信号送信部３７１は、各記憶部から上記Ｌｏ，Ｌ，Ｐｏ，Ｐを読み出して用いる。本実施の形態では、Ｌｏ＝Ｌ、Ｐｏ＝Ｐであるとして説明する。
【００３２】
また、ここでは第１のサブキャリア群を、図２に示した時刻ｔ２〜ｔ３に送信されるＯＦＤＭシンボルを構成するサブキャリアのうちのＭｏ個とし、第２のサブキャリア群を、図２に示した時刻ｔ２〜ｔ３に送信されるサブキャリアのうちの他のＭ個とする。第１のサブキャリア群及び第２のサブキャリア群は予め決められている。
【００３３】
受信状態報知信号送信部３７０及び再送要求信号送信部３７１は、それぞれＭｏ個のサブキャリア及びＭ個のサブキャリアの中から、それぞれＬｏ個のサブキャリア及びＬ個のサブキャリアを選択する。この選択方法としては、毎回ランダムに選択する方法や、通信開始時のみランダムに選択し、それ以降は同一のサブキャリアを選択する方法や、固定のサブキャリアを選択する方法などがあり、どの方法で選択してもよい。そして、それぞれ選択したＬｏ個又はＬ個のサブキャリアのみに変調信号を重畳し、他のサブキャリアはヌルとなるような信号系列を生成する。
【００３４】
位相設定部３７２は、基地局装置１０からマルチキャスト送信された通信データを受信した際に応答信号を送信するための１又は複数のサブキャリアの各位相を設定して変調器４４に供給する。位相設定部３７２は、上記応答信号の送信の度に上記サブキャリアの各位相を変更する。即ち、上記応答信号の送信の度に、位相設定部３７２は、第１のサブキャリア群の中から選択されたサブキャリアの各位相を設定すると共に、第２のサブキャリア群の中から選択されたサブキャリアの各位相を設定する。
【００３５】
本実施の形態では、位相設定部３７２は、乱数を発生させ、この乱数に応じて上記サブキャリアの各位相を設定する。これにより、各無線端末装置から送信された応答信号の統計多重加算値のばらつきを抑制し、マルチキャスト送信の制御を実施するか否かの判定を精度よく行うことを可能とするが、その詳細については後述する。
【００３６】
符号器４２は、送信用の信号を符号化して信号系列を生成する。多重部４３は、符号器４２、受信状態報知信号送信部３７０、及び再送要求信号送信部３７１で生成された各信号系列を多重化し、多重化信号を生成する。変調器４４は、生成された多重化信号を変調する。変調器４４は、例えば４ＱＡＭによる変調処理等を行うものであるが、これに限定されない。Ｓ／Ｐ変換器４５は、変調器４４が行う変調によって得られる変調信号をパラレル信号に変換する。ＯＦＤＭシンボル生成器４６は、Ｓ／Ｐ変換器４５の出力に対してＩＦＦＴ（Inverse Fast Fourier Transform）処理を行ってＯＦＤＭシンボルを生成する。ＲＦ部４７は、ＯＦＤＭシンボルを変調して無線周波数にアップコンバートする。ＲＦ部４７の出力はアンテナ３１から送信される。
【００３７】
多重部４３の処理について、より詳しく説明する。多重部４３は、受信状態報知信号送信部３７０が受信状態報知信号を生成せず、再送要求信号送信部３７１も再送要求信号を生成しなかった場合には、符号器４２が生成した信号系列を出力する。一方、受信状態報知信号送信部３７０が受信状態報知信号を生成し、又は再送要求信号送信部３７１が再送要求信号を生成した場合には、生成された信号に対応する信号系列と、符号器４２が生成した信号系列と、を多重化する。
【００３８】
なお、図面では本発明を説明するための最小限の構成しか示していないが、例えば、インターリーブや誤り訂正（ＦＥＣ：Forward Error Collection）を行なう場合は、符号器４２の直後にインターリーバ、符号器３６の直前にデインターリーバなどが必要となる。
【００３９】
図４は無線端末装置３０が送信する再送要求信号の一例を示す図であり、特にＬ＝１の場合を示している。一方、図５は基地局装置１０が受信した再送要求信号の一例を示す図である。なお、図４及び図５では、斜線部が再送要求信号を示している。
【００４０】
図５に示すように、基地局装置１０では、各無線端末装置３０が送信した再送要求信号がそれぞれ受信される。なお、各無線端末装置３０はそれぞれ独立した処理によりＬ個のサブキャリアを選択しているので、同じサブキャリアを選択する場合もあり得る。この場合、各無線端末装置３０が送信した再送要求信号の位相が互いに逆相となっていれば、打ち消しあって受信レベルが下がることになる。また、各無線端末装置３０が送信した再送要求信号の位相が互いに同相となっていれば、受信レベルが上がることになる。しかしながら、本実施の形態によれば、後述するように、各無線端末装置３０が送信した再送要求信号の位相が互いに逆相または同相となる頻度が低減されるので、各無線端末装置３０から送信された再送要求信号の統計多重加算値のばらつきが抑制される。
なお、図４及び図５では再送要求信号について説明したが、受信状態報知信号についても同様である。
【００４１】
次に、本実施の形態にかかる基地局装置１０である基地局装置１０ａの詳細について説明する。図６は、基地局装置１０ａの内部構成を示す概略ブロック図である。同図に示すように、基地局装置１０ａは、制御部１１、符号器１２、変調器１３、Ｓ／Ｐ変換器１４、ＯＦＤＭシンボル生成器１５、ＲＦ部１６、アンテナ１７、ＲＦ部１８、ＯＦＤＭシンボル検出器１９、第１受信レベル合計値取得部２０、第２受信レベル合計値取得部２１、Ｐ／Ｓ変換器２２、復調器２３、符号器２４、マルチキャスト送信制御部２５ａを含んで構成される。マルチキャスト送信制御部２５ａは、さらにその内部に、基準再送要求率入力受付部２５０、閾値算出部２５１ａ、比較部２５２を含んで構成される。
【００４２】
ＲＦ部１８は、アンテナ１７で受信された無線周波数信号をダウンコンバートして直交復調を行う。ＯＦＤＭシンボル検出器１９は、ＲＦ部１８の出力に対してＦＦＴ処理を行ってＯＦＤＭシンボルを検出する。
【００４３】
第１受信レベル合計値取得部２０（第１合計値取得手段）は、第１のサブキャリア群（Ｍｏ個のサブキャリア）を受信し、各サブキャリアごとの信号成分の受信レベルを検出する。そして、検出した受信レベルを合計（統計多重加算）することにより、第１のサブキャリア群を構成する各サブキャリアの受信レベルの合計値（第１合計値）を取得する。同様に、第２受信レベル合計値取得部２１（第２合計値取得手段）は、第２のサブキャリア群（Ｍ個のサブキャリア）を受信し、各サブキャリアごとの信号成分の受信レベルを検出する。そして、検出した受信レベルを合計（統計多重加算）することにより、第２のサブキャリア群を構成する各サブキャリアの受信レベルの合計値（第２合計値）を取得する。
【００４４】
Ｐ／Ｓ変換器２２は、ＯＦＤＭシンボルをパラレル／シリアル変換する。復調器２３は、シリアル変換されたＯＦＤＭシンボルを復調する。符号器２４は、復調信号に基づいて誤り検出を行う。制御部１１は、誤り検出後の復調信号を受信する。
【００４５】
マルチキャスト送信制御部２５ａ（マルチキャスト送信制御手段）は、上記第１合計値に対する上記第２合計値の割合に基づき、マルチキャスト送信の制御を行う。以下、マルチキャスト送信制御部２５ａの処理について、詳しく説明する。
【００４６】
まず、基準再送要求率入力受付部２５０は、ユーザによる基準再送要求率の入力を受け付ける。ここで入力される基準再送要求率は、受信状態報知信号を送信した無線端末装置数に対する再送要求信号を送信した無線端末装置数の割合の基準値である。
【００４７】
閾値算出部２５１ａ（閾値算出手段）は、第１合計値に上記基準再送要求率を乗算することにより、第２合計値の閾値を算出する。式（１）は、この閾値の算出式である。
閾値＝第１合計値×基準再送要求率  ・・・（１）
【００４８】
比較部２５２（比較手段）は、閾値算出部２５１ａにより算出された閾値と、第２受信レベル合計値取得部２１により取得された第２合計値と、を比較する。そして、比較結果に基づき、制御部１１による通信データのマルチキャスト送信を制御する。具体的な例を挙げると、比較結果により第２合計値が閾値より高いことが示された場合、マルチキャスト送信の送信レートを下げ、誤り率が下がるようにすることができる。また、比較結果により第２合計値が閾値より高いことが示された場合のみ、その再送要求信号に対応するパケットを再送する再送制御を行うように制御部１１を制御することもできる。いずれの制御用に本実施の形態を用いるかは、基準再送要求率の設定次第である。制御部１１は、比較部２５２の制御に従って、送信レート制御やパケットの再送制御を行う。
【００４９】
符号器１２は、送信用の信号を符号化して信号系列を生成する。変調器１３は、送信電力情報ＴＰが多重化された各信号系列を変調する。Ｓ／Ｐ変換器１４は、変調信号をパラレル信号に変換する。ＯＦＤＭシンボル生成器１５は、Ｓ／Ｐ変換器１４の出力に対してＩＦＦＴ処理を行ってＯＦＤＭシンボルを生成する。ＲＦ部１６は、ＯＦＤＭシンボルを直交変調して無線周波数にアップコンバートする。ＲＦ部１６の出力はアンテナ１７から送信される。
【００５０】
なお、制御部１１は、パケットを送信すると、そのパケットを一定時間にわたりバッファリングする。そして、比較部２５２から再送するよう指示されると、バッファリングしていたパケットを読み出してマルチキャスト送信する。ただし、パケットのバッファリングは必ずしも制御部１１で行なう必要はなく、例えば、変調器１３で変調した後の信号やＯＦＤＭシンボル生成器１５で生成したＯＦＤＭシンボルをバッファリングしてもよい。この場合、比較部２５２の制御を、バッファリングしている場所に送ればよい。
【００５１】
また、図６では、本発明を説明するための最小限の構成しか示していないが、無線端末装置３０と同様に、インターリーブや誤り訂正を行う場合は、インターリーバやデインターリーバ等が必要となる。
【００５２】
次に、図７を参照して、基地局装置１０ａからマルチキャスト送信された通信データを受信した際に無線端末装置３０において応答信号を送信するためのサブキャリアの各位相を設定する手法を説明する。
図７は、本実施の形態に係る無線端末装置３０の動作を説明するための図である。
ここでは、説明の簡略化のため、応答信号である受信状態報知信号および再送要求信号を送信するために選択されたサブキャリアは、それぞれ１個（Ｌｏ＝Ｌ＝１）であるものとし、無線端末装置３０に相当する２台の無線端末装置３０Ａ，３０Ｂ（図示なし）が、それぞれ、同じ周波数帯域のサブキャリアｓｕｂ１を用いて再送要求信号を送信する場合を想定する。ただし、これに限定されず、２台の無線端末装置３０Ａ，３０Ｂが１又は複数の任意の個数のサブキャリアを用いて再送要求信号を送信してもよく、また、相互に異なるサブキャリアを用いて再送要求信号を送信してもよい。受信状態報知信号のサブキャリアの位相の設定についても同様である。
【００５３】
以下に説明するように、本実施の形態では、無線端末装置３０Ａ，３０Ｂは、乱数を用いて各再送要求信号のサブキャリアの位相を設定する。
無線端末装置３０Ａは、基地局装置１０ａからマルチキャスト送信された通信データを受信すると、再送要求信号を送信するために、前述した第１のサブキャリア群のＭ個のサブキャリアの中から１個（Ｌ＝１）のサブキャリアｓｕｂ１を選択し、このサブキャリアｓｕｂ１に係る変調処理を行う。そして、無線端末装置３０Ａは、サブキャリアｓｕｂ１の電力レベルを所定の電力レベル（Ｐ）とすることにより、タイムスロットＴ１（図７）において再送要求信号を送信する。この場合、無線端末装置３０Ａの位相設定部３７２は、乱数ＲＡ１を発生させ、この乱数ＲＡ１を用いて再送要求信号のサブキャリアｓｕｂ１の位相を設定し、この位相を用いて変調器４４に再送要求信号の変調処理を実施させる。
【００５４】
同様に、無線端末装置３０Ｂは、基地局装置１０ａからマルチキャスト送信された通信データを受信すると、第１のサブキャリア群のＭ個のサブキャリアの中から１個（Ｌ＝１）のサブキャリアｓｕｂ１を選択し、このサブキャリアｓｕｂ１に係る変調処理を行う。そして、無線端末装置３０Ｂは、サブキャリアｓｕｂ１の電力レベルを所定の電力レベル（Ｐ）とすることにより、タイムスロットＴ１（図７）において再送要求信号を送信する。この場合、無線端末装置３０Ｂの位相設定部３７２は、乱数ＲＢ１を発生させ、この乱数ＲＢ１を用いて再送要求信号のサブキャリアｓｕｂ１の位相を設定し、この位相を用いて変調器４４に再送要求信号の変調処理を実施させる。
【００５５】
図７の例では、タイムスロットＴ１の後に、基地局装置１０ａが図示しないマルチキャスト送信を実施し、この送信に対して各無線端末装置３０が再送要求信号を送信するための新たなタイムスロットＴ２が発生している。このタイムスロットＴ２において、２台の無線端末装置３０Ａ，３０Ｂは、それぞれ、乱数ＲＡ２，ＲＢ２を新たに発生させ、この乱数ＲＡ２，ＲＢ２を用いて各サブキャリアｓｕｂ１の位相を設定する。その後も同様に、無線端末装置３０Ａ，３０Ｂは、再送要求信号の送信の度に乱数を発生させて各サブキャリアの位相を設定する。
【００５６】
ここで、２台の無線端末装置３０Ａ，３０Ｂは、各タイムスロットにおいて何れも同一のサブキャリアｓｕｂ１を用いて再送要求信号を送信するが、各無線端末装置で使用されるサブキャリアｓｕｂ１の位相は乱数に基づいて個別に決定される。このため、２台の無線端末装置３０Ａ，３０Ｂからそれぞれ送信される再送要求信号のサブキャリアｓｕｂ１が互いに同相の関係になる確率（位相差がゼロになる確率）、または、互いに逆相の関係になる確率（位相差が１８０度になる確率）が低減される。
【００５７】
サブキャリアｓｕｂ１が同相または逆相の関係になる確率が低減されると、サブキャリアｓｕｂ１の位相と無線端末装置３０の台数との間の相関が低減され、各無線端末装置３０から送信された再送要求信号の統計多重加算値のばらつきが抑制される。これにより、各無線端末装置３０から送信された再送要求信号の統計多重加算値のばらつきに起因した受信レベルの変動が抑制され、基地局装置１０ａにおいて再送要求信号の信号レベルを統計多重加算することにより得られる電力の平均値は、無線端末装置３０の台数に応じたものとなる。
【００５８】
このように、本実施形態によれば、各無線端末装置３０から基地局装置１０ａに送信される受信状態報知信号および再送要求信号のキャリア周波数位相関係がランダム化され、固定されることがないため、無線端末装置３０の数が少ない場合においても、再送要求信号の統計多重加算値の偏りが少なくなる。従って、パケットの再送等のマルチキャスト送信の制御を必要とする無線端末装置３０の存在を精度よく判定することができ、マルチキャスト送信の制御を実施するか否かの判定を精度よく行うことが可能となる。
受信状態報知信号のサブキャリアの位相の設定手法についても、上述の再送要求信号と同様である。
【００５９】
また、本実施の形態によれば、第１合計値に対する第２合計値の割合を指標として、マルチキャスト送信の制御を行うことができる。
また、第１合計値に、基準再送要求率を乗算することにより、閾値を算出しているので、基準再送要求率を指標として、マルチキャスト送信の制御を行うことができるようになる。
さらに、第１合計値に基づいて閾値を決定するため、再送要求信号の誤検出確率や検出見逃し確率を低減することができる。
【００６０】
[実施の形態２]
次に、本発明の実施の形態２について、上述した実施の形態１の構成を援用して説明する。
本実施の形態２では、上述した実施の形態１における無線端末装置３０の位相設定部３７２は、Ｋを２以上の任意の整数としたときに、複数のサブキャリアの各位相を、２π／ｍ（ｍ＝１，…，Ｋ）によって与えられるＫ個の位相候補２π／１，２π／２，２π／３，…，２π／Ｋの中の何れかに設定するように構成される。本実施の形態２では、例えば、Ｋは、変調器４４における変調処理の種類に応じて決定され、コンスタレーションプロット（Ｑ−Ｉ）上のシンボルを表す位相の数に相当する。一例として、変調器４４が４ＱＡＭによる変調処理を行うものとした場合、Ｋの値は「４」である。ただし、この例に限定されず、Ｋは任意に設定し得る。その他の構成は、実施の形態１と同様である。
【００６１】
図８は、本実施の形態２に係る無線端末装置の動作を説明するための図である。
ここでは、２台の無線端末装置３０Ａ，３０Ｂ（図示なし）が、それぞれ、２個（Ｌ＝２）のサブキャリアｓｕｂ１，ｓｕｂ２を選択し、これらのサブキャリアを用いて再送要求信号を基地局装置１０に送信する場合を想定する。また、Ｋ＝４とし、２π／ｍによって与えられる位相候補を「２π／１，２π／２，２π／３，２π／４」とする。
【００６２】
無線端末装置３０Ａは、基地局装置１０から通信データを受信すると、再送要求信号のサブキャリアｓｕｂ１，ｓｕｂ２に係る変調処理を行う。そして、無線端末装置３０Ａは、サブキャリアｓｕｂ１，ｓｕｂ２の各電力レベルを所定の電力レベル（Ｐ）とすることにより、タイムスロットＴ１（図８）において再送要求信号を送信する。このとき、無線端末装置３０Ａの位相設定部３７２は、タイムスロットＴ１におけるサブキャリアｓｕｂ１，ｓｕｂ２の位相ＰＨ１，ＰＨ２を、それぞれ、上記位相候補「２π／１，２π／２，２π／３，２π／４」の中の例えば位相２π／１及び位相２π／２に設定し、これらの位相を用いて変調器４４に再送要求信号の変調処理を実施させる。
【００６３】
同様に、無線端末装置３０Ｂは、基地局装置１０から通信データを受信すると、再送要求信号のサブキャリアｓｕｂ１，ｓｕｂ２を選択し、これらのサブキャリアｓｕｂ１，ｓｕｂ２に係る変調処理を行う。そして、無線端末装置３０Ｂは、サブキャリアｓｕｂ１，ｓｕｂ２の各電力レベルを所定の電力レベル（Ｐ）とすることにより、タイムスロットＴ１（図８）において再送要求信号を送信する。このとき、無線端末装置３０Ｂの位相設定部３７２は、タイムスロットＴ１におけるサブキャリアｓｕｂ１，ｓｕｂ２の位相ＰＨ１，ＰＨ２を、それぞれ、上記位相候補の中の例えば位相２π／３及び位相２π／４に設定し、これらの位相を用いて変調器４４に再送要求信号の変調処理を実施させる。
【００６４】
図８の例では、タイムスロットＴ１の後のタイムスロットＴ２において、無線端末装置３０Ａの位相設定部３７２は、サブキャリアｓｕｂ１，ｓｕｂ２の位相ＰＨ１，ＰＨ２を、それぞれ、上記位相候補の中の位相２π／３及び位相２π／４に設定し、これらの位相を用いて変調器４４に再送要求信号の変調処理を実施させる。また、無線端末装置３０Ｂの位相設定部３７２は、サブキャリアｓｕｂ１，ｓｕｂ２の位相ＰＨ１，ＰＨ２を、それぞれ、上記位相候補の中の位相２π／１及び位相２π／２に設定し、これらの位相を用いて変調器４４に再送要求信号の変調処理を実施させる。この例では、タイムスロットＴ１とタイムスロットＴ２とでは、無線端末装置３０Ａが使用するサブキャリアの位相ＰＨ１，ＰＨ２の各値と、無線端末装置３０Ｂが使用するサブキャリアの位相ＰＨ１，ＰＨ２の各値とが入れ替わっているが、各位相の値はこの例に限定されず、上記位相候補の中から任意に設定され得る。例えば、上記位相候補の各値を任意の規則に従ってタイムスロットごとに巡回させることにより、各タイムスロットにおいて各無線端末装置が使用するサブキャリアの位相を設定してもよい。
【００６５】
ここで、２台の無線端末装置３０Ａ，３０Ｂは、各タイムスロットにおいて何れも同一のサブキャリアｓｕｂ１，ｓｕｂ２を用いて再送要求信号を送信するが、各無線端末装置で使用されるサブキャリアｓｕｂ１，ｓｕｂ２の位相ＰＨ１，ＰＨ２は上記位相候補の中から任意に設定され得る。このため、２台の無線端末装置３０Ａ，３０Ｂからそれぞれ送信される再送要求信号のサブキャリアｓｕｂ１，ｓｕｂ２が互いに同相または逆相の関係になる確率が低減される。従って、本実施形態によれば、上述の実施の形態１と同様に、無線端末装置３０の数が少ない場合においても、再送要求信号の統計多重加算値の偏りが少なくなり、マルチキャスト送信の制御を実施するか否かの判定を精度よく行うことが可能となる。
受信状態報知信号のサブキャリアの位相の設定手法についても、上述の再送要求信号と同様である。
【００６６】
また、本実施の形態によれば、例えば、無線端末装置３０Ａにおいて選択された複数のサブキャリアの中の一つと、他方の無線端末装置３０Ｂにおいて選択された複数のサブキャリアの中の一つとが逆相の関係になったとしても、他のサブキャリアにおいて同相の関係となるものが発生する。このため、双方のサブキャリアによる信号レベルを統計多重加算することにより信号レベルが平滑化される。この結果、統計多重加算値の偏りが少なくなり、基地局装置におけるマルチキャスト送信を正確に制御することが可能となる。
なお、前述した実施の形態１によるサブキャリアの位相の設定手法と本実施の形態２によるサブキャリアの位相の設定手法を併用してもよい。
【００６７】
なお、上述の例では、無線端末装置３０Ａおよび無線端末装置３０Ｂで使用されるサブキャリアの個数は合計４個であり、この４個のサブキャリアの位相に対し、上記位相候補としてサブキャリアと同数の４個の位相値を用いたが、位相候補の個数は２以上であれば任意であり、複数の無線端末装置で使用されるサブキャリアの個数の合計値以上であってもよく、その合計値未満であってもよい。
【００６８】
また、各サブキャリアの位相の値が固定されないことを限度として、同じ値の位相が複数の無線端末装置におけるサブキャリアの位相として設定されてもよい。例えば、図８のタイムスロットＴ１において、無線端末装置３０Ａで使用されるサブキャリアの位相ＰＨ１と無線端末装置３０Ｂで使用されるサブキャリアの位相ＰＨ２の値とが同じであり、タイムスロットＴ２において、無線端末装置３０Ａで使用されるサブキャリアの位相ＰＨ２と無線端末装置３０Ｂで使用されるサブキャリアの位相ＰＨ１の値とが同じであってもよい。このように各サブキャリアの位相が固定されなければ、時間的な統計多重加算効果により、再送要求信号の統計多重加算値の偏りが更に少なくなる。
【００６９】
［実施の形態３］
実施の形態１ではＬｏ＝Ｌ、Ｐｏ＝Ｐである場合について説明したが、実施の形態３では、Ｌｏ≠Ｌ、Ｐｏ＝Ｐである場合について説明する。本実施の形態と実施の形態１とでは、基地局装置１０の構成に違いがあり、以下、その違いを中心に説明する。
なお、各無線端末装置３０における応答信号のサブキャリアの位相の設定手法については、上述の実施の形態１または実施の形態２と同様である。
【００７０】
図９は、本実施の形態にかかる基地局装置１０である基地局装置１０ｂの内部構成を示す概略ブロック図である。同図に示すように、基地局装置１０ｂは、基地局装置１０ａの構成に加え、第１の個数記憶部２７１及び第２の個数記憶部２７２を含んで構成される。また、マルチキャスト送信制御部２５ａに代えてマルチキャスト送信制御部２５ｂを含んで構成される。マルチキャスト送信制御部２５ｂは、閾値算出部２５１ａに代えて閾値算出部２５１ｂを含む点で、マルチキャスト送信制御部２５ａと相違している。
【００７１】
マルチキャスト送信制御部２５ｂは、第１合計値に対する第２合計値の割合と、第１の個数に対する第２の個数の割合と、に基づき、マルチキャスト送信の制御を行う。以下、具体的に説明する。
【００７２】
第１の個数記憶部２７１及び第２の個数記憶部２７２は、それぞれ上記Ｌｏ及びＬを記憶している。閾値算出部２５１ｂは各記憶部から上記Ｌｏ，Ｌを読み出し、第１合計値と、第１の個数に対する第２の個数の割合Ｌ／Ｌｏと、に基づき、前記閾値を算出する。式（４）は、この閾値の算出式である。
閾値＝第１合計値×基準再送要求率×（Ｌ／Ｌｏ）  ・・・（４）
閾値を算出した後の処理は、実施の形態１と同様である。
【００７３】
本実施の形態によれば、マルチキャスト送信制御部２５ｂは、第１の個数と第２の個数とが異なる場合であっても、第１合計値に対する第２合計値の割合を指標として、適切にマルチキャスト送信の制御を行うことができる。
【００７４】
［実施の形態４］
実施の形態４では、Ｌｏ＝Ｌ、Ｐｏ≠Ｐである場合について説明する。本実施の形態と実施の形態１及び２とでは、基地局装置１０の構成に違いがあり、以下、その違いを中心に説明する。
なお、各無線端末装置３０における応答信号のサブキャリアの位相の設定手法については、上述の実施の形態１または実施の形態２と同様である。
【００７５】
図１０は、本実施の形態にかかる基地局装置１０である基地局装置１０ｃの内部構成を示す概略ブロック図である。同図に示すように、基地局装置１０ｃは、基地局装置１０ａの構成に加え、第１の所定値記憶部２７３及び第２の所定値記憶部２７４を含んで構成される。また、マルチキャスト送信制御部２５ａに代えてマルチキャスト送信制御部２５ｃを含んで構成される。マルチキャスト送信制御部２５ｃは、閾値算出部２５１ａに代えて閾値算出部２５１ｃを含む点で、マルチキャスト送信制御部２５ａと相違している。
【００７６】
マルチキャスト送信制御部２５ｃは、第１合計値に対する第２合計値の割合と、第１の所定値に対する第２の所定値の割合と、に基づき、マルチキャスト送信の制御を行う。以下、具体的に説明する。
【００７７】
第１の所定値記憶部２７３及び第２の所定値記憶部２７４は、それぞれ上記Ｐｏ及びＰを記憶している。閾値算出部２５１ｃは各記憶部から上記Ｐｏ，Ｐを読み出し、第１合計値と、第１の所定値に対する第２の所定値の割合Ｐ／Ｐｏと、に基づき、前記閾値を算出する。式（５）は、この閾値の算出式である。
閾値＝第１合計値×基準再送要求率×（Ｐ／Ｐｏ）  ・・・（５）
閾値を算出した後の処理は、実施の形態１及び２と同様である。
【００７８】
本実施の形態によれば、マルチキャスト送信制御部２５ｃは、第１の所定値と第２の所定値とが異なる場合であっても、第１合計値に対する第２合計値の割合を指標として、適切にマルチキャスト送信の制御を行うことができる。
【００７９】
［実施の形態５］
実施の形態５では、Ｌｏ≠Ｌ、Ｐｏ≠Ｐである場合について説明する。本実施の形態と実施の形態１乃至４とでは、基地局装置１０の構成に違いがあり、以下、その違いを中心に説明する。
なお、各無線端末装置３０における応答信号のサブキャリアの位相の設定手法については、上述の実施の形態１または実施の形態２と同様である。
【００８０】
図１１は、本実施の形態にかかる基地局装置１０である基地局装置１０ｄの内部構成を示す概略ブロック図である。同図に示すように、基地局装置１０ｄは、基地局装置１０ａの構成に加え、第１の個数記憶部２７１、第２の個数記憶部２７２、第１の所定値記憶部２７３、第２の所定値記憶部２７４を含んで構成される。これらの各記憶部は、実施の形態２又は３で説明したものと同様である。また、マルチキャスト送信制御部２５ａに代えてマルチキャスト送信制御部２５ｄを含んで構成される。マルチキャスト送信制御部２５ｄは、閾値算出部２５１ａに代えて閾値算出部２５１ｄを含む点で、マルチキャスト送信制御部２５ａと相違している。
【００８１】
マルチキャスト送信制御部２５ｄは、第１合計値に対する第２合計値の割合と、第１の個数に対する第２の個数の割合と、第１の所定値に対する第２の所定値の割合と、に基づき、マルチキャスト送信の制御を行う。以下、具体的に説明する。
【００８２】
閾値算出部２５１ｄは各記憶部から上記Ｌｏ，Ｌ，Ｐｏ，Ｐを読み出し、第１合計値と、第１の個数に対する第２の個数の割合Ｌ／Ｌｏと、第１の所定値に対する第２の所定値の割合Ｐ／Ｐｏと、に基づき、前記閾値を算出する。式（６）は、この閾値の算出式である。
閾値＝第１合計値×基準再送要求率×（Ｌ／Ｌｏ）×（Ｐ／Ｐｏ）  ・・・（６）
閾値を算出した後の処理は、実施の形態１乃至３と同様である。
【００８３】
本実施の形態によれば、マルチキャスト送信制御部２５ｄは、第１の個数と第２の個数、第１の所定値と第２の所定値、がそれぞれ異なる場合であっても、第１合計値に対する第２合計値の割合を指標として、適切にマルチキャスト送信の制御を行うことができる。
【００８４】
以上本発明の実施の形態１乃至５について説明したが、ここで、上記Ｌｏ，Ｌ，Ｐｏ，Ｐの最適値について説明する。上述したように、これらはユーザにより決定されるものであるが、次のようにして決定される値を使用することが好ましい。すなわち、Ｌｏに対するＬの比（Ｌ／Ｌｏ）は、基準再送要求率に基づいて決定されることが好ましい。例えば、基準再送要求率とＬｏ／Ｌが等しくなるようにすることが好ましい。また、Ｐｏに対するＰの比（Ｐ／Ｐｏ）も、基準再送要求率に基づいて決定されることが好ましい。例えば、基準再送要求率とＰｏ／Ｐが等しくなるようにすることが好ましい。
【００８５】
上述したように、マルチキャスト送信制御部２５ａ等は、第１合計値に対する第２合計値の割合に基づき、マルチキャスト送信の制御を行うが、第１受信レベル合計値取得部２０及び第２受信レベル合計値取得部２１がそれぞれ取得する第１合計値及び第２合計値には、ノイズ成分が含まれる。そして、ノイズ成分を含まない理想的な上記割合と、実際に取得された第１合計値及び第２合計値に基づいて求められる割合と、は第１合計値及び第２合計値の差が大きいほど、大きく乖離する。それ故、第１合計値と第２合計値の差が大きくなりすぎることは好ましくないところ、上記のようにして上記Ｌｏ，Ｌ，Ｐｏ，Ｐを決定しておけば、第１合計値と第２合計値の差が大きくなりすぎないようにすることができる。
【００８６】
上述した各実施形態では、本発明を無線通信システムとして表現したが、本発明は無線通信方法として表現することもできる。この場合、本発明による無線通信方法は、基地局装置が通信データをマルチキャスト送信し、複数の無線端末装置がマルチキャスト送信された前記通信データを受信する無線通信方法であって、前記複数の無線端末装置の各無線端末装置が、前記通信データを受信した際に応答信号を送信するための１又は複数のサブキャリアの各位相を設定し、前記応答信号の送信の度に前記１又は複数のサブキャリアの各位相を変更する位相設定ステップを含むことを特徴とする無線通信方法として表現することができる。
【００８７】
また、上記の無線通信方法において、更に、前記各無線端末装置が、前記通信データを受信した場合に、第１のサブキャリア群の中から選択される１又は複数のサブキャリアにより、前記応答信号として受信状態報知信号を送信する受信状態報知信号送信ステップと、前記各無線端末装置が、前記通信データが正常に受信されているか否かを判定する判定ステップと、前記各無線端末装置が、前記判定ステップにおいて前記通信データが正常に受信されていないと判定された場合に、前記第１のサブキャリア群とは重複しない第２のサブキャリア群の中から選択される１又は複数のサブキャリアにより、前記応答信号として再送要求信号を送信する再送要求信号送信ステップと、前記基地局装置が、前記第１のサブキャリア群を受信し、該第１のサブキャリア群を構成する各サブキャリアの受信レベルの合計値である第１合計値を取得する第１合計値取得ステップと、前記基地局装置が、前記第２のサブキャリア群を受信し、該第２のサブキャリア群を構成する各サブキャリアの受信レベルの合計値である第２合計値を取得する第２合計値取得ステップと、前記基地局装置が、第１合計値に対する前記第２合計値の割合に基づき、マルチキャスト送信の制御を行うマルチキャスト送信制御ステップと、を含んでもよい。
【００８８】
なお、本発明は、以上説明した実施の形態１乃至５に何等限定されるものではなく、本発明は、その要旨を逸脱しない範囲において、種々なる態様で実施され得ることは勿論である。
【００８９】
例えば、上記各実施の形態では、第１のサブキャリア群を、図２に示した時刻ｔ２〜ｔ３に送信されるＯＦＤＭシンボルを構成するサブキャリアのうちのＭｏ個とし、第２のサブキャリア群を、図２に示した時刻ｔ２〜ｔ３に送信されるサブキャリアのうちの他のＭ個としたが、例えば図１０に示すように、第１のサブキャリア群を、時刻ｔ２〜ｔ３に送信されるＯＦＤＭシンボルを構成するサブキャリアのうちのＭｏ個とし、第２のサブキャリア群を、時刻ｔ３〜ｔ４（ｔ４はｔ３の後）に送信されるサブキャリアのうちの他のＭ個としてもよい。こうすれば、より多くのサブキャリアを受信状態報知信号及び再送要求信号の送信に用いることができるようになる。
【００９０】
また、上記実施の形態では、上記Ｌｏ，Ｌ，Ｐｏ，Ｐをユーザが決定するものとして説明したが、基地局装置１０が、基準再送要求率入力受付部２５０によって受け付けられた基準再送要求率に基づいて、Ｌｏ，Ｌ，Ｐｏ，Ｐの上記最適値を算出し、算出した値を第１の個数記憶部２７１，第２の個数記憶部２７２，第１の所定値記憶部２７３，第２の所定値記憶部２７４に記憶させるとともに、各無線端末装置３０に送信することとしてもよい。この場合、各無線端末装置３０は、受信したＬｏ，Ｌ，Ｐｏ，Ｐを、第１の個数記憶部３９，第２の個数記憶部４１，第１の所定値記憶部４０，第２の所定値記憶部４２に記憶させることが好適である。
【００９１】
また、基地局装置１０や無線端末装置３０の機能を実現するためのプログラムをコンピュータ読み取り可能な記録媒体に記録して、この記録媒体に記録されたプログラムをコンピュータシステムに読み込ませ、実行することにより、各装置の上記各処理を行ってもよい。
ここでいう「コンピュータシステム」とは、ＯＳや周辺機器等のハードウェアを含むものであってもよい。また、この「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
さらに、「コンピュータ読み取り可能な記録媒体」には、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
さらに、上記プログラムは、上述した各機能の一部を実現するためのものであってもよい。さらに、上述した各機能をコンピュータシステムにすでに記録されているプログラムとの組み合わせで実現できるもの、いわゆる差分ファイル（差分プログラム）であってもよい。
【符号の説明】
【００９２】
１  無線通信システム、
１０，１０ａ，１０ｂ，１０ｃ，１０ｄ  基地局装置、
１１，３７  制御部、
１２，２４，３６，４２  符号器、
１３，４４  変調器、
１４，４５  Ｓ／Ｐ変換器、
１５，４６  ＯＦＤＭシンボル生成器、
１６，１８，３２，４７  ＲＦ部、
１７，３１  アンテナ、
１９，３３  ＯＦＤＭシンボル検出器、
２０  第１受信レベル合計値取得部、
２１  第２受信レベル合計値取得部、
２２，３４  Ｐ／Ｓ変換器、
２３，３５  復調器、
２５ａ，２５ｂ，２５ｃ，２５ｄ  マルチキャスト送信制御部、
３０  無線端末装置、
３９，２７１  第１の個数記憶部、
４１，２７２  第２の個数記憶部、
４０，２７３  第１の所定値記憶部、
４２，２７４  第２の所定値記憶部、
２５０  基準再送要求率入力受付部、
２５１ａ，２５１ｂ，２５１ｃ，２５１ｄ  閾値算出部、
２５２  比較部、
３７０  受信状態報知信号送信部、
３７１  再送要求信号送信部、
３７２  位相設定部。
【図１】
2014197724.tif 000003
【図２】
2014197724.tif 000004
【図３】
2014197724.tif 000005
【図４】
2014197724.tif 000006
【図５】
2014197724.tif 000007
【図６】
2014197724.tif 000008
【図７】
2014197724.tif 000009
【図８】
2014197724.tif 000010
【図９】
2014197724.tif 000011
【図１０】
2014197724.tif 000012
【図１１】
2014197724.tif 000013